(57)【要約】  一組のパネルは、第１主平面を有する第１パネル２と、第２主平面を有する第２パネル４とを有する。第１及び第２パネルは、第１パネル２の第１縁部を第２パネル４の第２縁部に対して接合平面Ｊにおいて係止するための機械的係止装置を設けられる。第１主平面は、第２主平面に対して本質的に垂直であり、且つ、接合平面は、前記第１主平面と前記第２主平面との間において延在している。第１縁部は、接合平面から延在する縁部タング２２を備える。第２縁部は、接合平面において縁部溝２１を備える。第１及び第２縁部を第１主平面に対して垂直である第１方向Ｄ１において一体に係止するように、縁部タングは縁部溝と協働するように構成される。縁部タング２２は、タング溝１０を有する。縁部溝２１は、挿入溝２０内に配設される可撓性タング３０を有する。第１及び第２縁部を第２主平面に対して垂直である第２方向Ｄ２において一体に係止するように、前記可撓性タングは前記タング溝１０と協働するように構成される。機械的係止装置は、第１及び第２縁部の係止状態において、縁部タング２２と縁部溝２１との間に、縁部溝２１の開口において、且つ接合平面において、第１スペース４６を備える。
2019508637.tif 000002
【特許請求の範囲】
【請求項１】
第１主平面を有する第１パネル（２）と、第２主平面を有する第２パネル（４）とを備える一組のパネルであって、前記第１パネル及び前記第２パネルは、前記第１パネル（２）の第１縁部を前記第２パネル（４）の第２縁部に対して接合平面（Ｊ）において係止するための機械的係止装置を設けられ、前記第１主平面は、前記第２主平面に対して本質的に垂直であり、且つ、前記接合平面は、前記第１主平面及び前記第２主平面に対して角度を成して、前記第１主平面と前記第２主平面との間において延在している一組のパネルにおいて、
・前記第１縁部は、前記接合平面（Ｊ）から延在する縁部タング（２２）を備え、
・前記第２縁部は、前記接合平面において縁部溝（２１）を備え、前記第１及び前記第２縁部を前記第１主平面に対して垂直である第１方向（Ｄ１）において一体に係止するように、前記縁部タングは前記縁部溝と協働するように構成され、
・前記縁部タング（２２）は、タング溝（１０）を備え、
・前記縁部溝（２１）は、挿入溝（２０）内に配設される可撓性タング（３０）を備え、前記第１及び前記第２縁部を前記第２主平面に対して垂直である第２方向（Ｄ２）において一体に係止するように、前記可撓性タングは前記タング溝（１０）と協働するように構成され、
・前記機械的係止装置は、前記第１及び前記第２縁部の係止状態において、前記縁部タング（２２）と前記縁部溝（２１）との間に、前記縁部溝（２１）の開口において、好適には前記挿入溝（２０）の反対側に、且つ前記接合平面において、第１スペース（４６）を備える、
ことを特徴とする一組のパネル。
【請求項２】
前記接合平面と前記第１主平面との間の角度（７４）は、約４５°である、
請求項１に記載の一組のパネル。
【請求項３】
前記縁部タング（２２）は、前記接合平面から、本質的に前記第２方向において延在する、
請求項１又は２に記載の一組のパネル。
【請求項４】
前記縁部タング（２２）の第１側が、前記接合平面（Ｊ）において又はその付近において、第１係止表面（４１）を備え、且つ、前記縁部溝（２１）は、前記接合平面（Ｊ）において又はその付近において、第２係止表面（４０）を備え、
前記第１係止表面及び前記第２係止表面は本質的に平行であるとともに、前記第１方向における係止のために協働するように構成され、
前記第１係止表面及び前記第２係止表面は、好適には、本質的に前記第２方向において延在している、
請求項１乃至３のいずれか一項に記載の一組のパネル。
【請求項５】
前記縁部タング（２２）は、前記第１側に対して反対側の第２側において、第３係止表面（４３）を備え、且つ、前記縁部溝（２１）は、第４係止表面（４２）を備え、
前記第３係止表面及び前記第４係止表面は本質的に平行であるとともに、前記第１方向における係止のために、前記接合平面から距離を置いて協働するように構成され、
前記第３係止表面及び前記第４係止表面は、好適には、本質的に前記第２方向において延在する、
請求項１乃至４のいずれか一項に記載の一組のパネル。
【請求項６】
前記第３係止表面（４３）及び前記第４係止表面（４２）は、第１距離（４７）に亘って前記第２方向に延在する領域において協働し、
前記第３係止表面及び前記第４係止表面は、前記接合平面から第２距離（４８）だけ変位しており、
前記第１距離（４７）は、前記第２距離（４８）の約２０％乃至約２００％の範囲にある、又は前記第２距離（４８）の約５０％乃至約１５０％の範囲にある、
請求項５に記載の一組のパネル。
【請求項７】
前記接合平面から距離を置いた前記縁部タング（２２）の前記第１側は、第５係止表面（４５）を備え、且つ、前記縁部溝（２１）は、前記接合平面（Ｊ）から距離を置いた第６係止表面（４４）を備え、
前記第５係止表面及び前記第６係止表面は本質的に平行であるとともに、前記第１方向における係止のために協働するように構成され、
前記第５係止表面及び前記第６係止表面は、好適には、本質的に前記第２方向において延在する、
請求項１乃至６のいずれか一項に記載の一組のパネル。
【請求項８】
前記機械的係止装置は、前記第１縁部における第１接触表面（５１）と、前記第２縁部における第２接触表面（５２）とを備え、
前記第１接触表面及び前記第２接触表面は、前記第１及び前記第２パネルの係止状態において、外側角部に且つ前記接合平面に存在するとともに、協働するように構成される、
請求項１乃至７のいずれか一項に記載の一組のパネル。
【請求項９】
前記機械的係止装置は、前記接合平面において、前記第１及び前記第２接触表面（５１、５２）から前記縁部溝の開口に向かって延在する第２スペース（４９）を備える、
請求項８に記載の一組のパネル。
【請求項１０】
前記第１及び前記第２接触表面（５１、５２）は、第１幅（７１）に亘って、前記第１及び前記第２パネルの内側角部から前記外側角部に向かう方向において協働し、
前記第１幅は、前記第１及び／又は第２縁部表面の縁部幅（５８）の約５％乃至約４０％、約５％乃至約３０％、又は約５％乃至約２０％の範囲にある、
請求項８又は９に記載の一組のパネル。
【請求項１１】
前記第１縁部表面及び／又は前記第２縁部表面は、前記第１接触表面（５１）及び前記第２接触表面（５２）それぞれから、前記縁部タング（２２）及び前記縁部溝（２１）それぞれに向かって延在する凹部（５０、５５）を備える、
請求項８乃至１０のいずれか一項に記載の一組のパネル。
【請求項１２】
前記機械的係止装置は、前記第１縁部における第３接触表面（５３）と、前記第２縁部における第４接触表面（５４）とを備え、
前記第３及び前記第４接触表面は、前記第１及び前記第２パネルの係止状態において、内側角部に且つ前記接合平面に存在するとともに、協働するように構成される、
請求項１乃至１１のいずれか一項に記載の一組のパネル。
【請求項１３】
前記第３及び前記第４接触領域は、第２幅（７２）に亘って、前記第１及び前記第２パネルの内側角部から前記外側角部に向かう方向において協働し、
前記第２幅は、前記第１及び／又は第２縁部表面の縁部幅（５８）の約２％乃至約２０％、約２％乃至約１０％、約２％乃至約５％の範囲にあり得る、
請求項１２に記載の一組のパネル。
【請求項１４】
前記第１パネルは、内側半体（６６）と外側半体（６７）とを、前記第１パネルの厚さの方向において備え、
前記縁部タング（２２）全体は、前記第１パネルの前記内側半体に存在する、
請求項１乃至１３のいずれか一項に記載の一組のパネル。
【発明の詳細な説明】
【技術分野】
【０００１】
本発明の実施形態は、互いに対して垂直に配設され得るとともに、機械的係止装置によって一体に係止され得るパネルに関する。パネルは、本棚、食器棚、衣装箪笥、箱、引出、又は家具部品等の家具製品を得るように、一体に組み立てられ係止され得る。係止装置は、可撓性タングを備え得る。
【背景技術】
【０００２】
ＷＯ２０１５／０３８０５９号に記載のように、機械的係止装置を有する家具製品が、当技術において公知である。家具は、挿入溝内に可撓性タングを備える機械的係止装置によって、第２パネルに対して垂直に接続される第１パネルを備える。
【発明の概要】
【０００３】
本発明の実施形態の１つの目的は、上述の技術及び公知技術に対する改良を提供することである。具体的な目標は、機械的係止装置によって一体に係止される家具パネル等のパネルの組立を改良する、及び／又は機械的係止装置の強度を向上させることである。パネルは、家具部品、引出、食器棚、本棚、衣装箪笥、台所設備、又はボックス等の家具製品の一部であり得る。
【０００４】
説明から明らかになるであろう本発明のこれらのうちの少なくともいくつか及び他の目的及び利点が、第１主平面を有する第１パネルと、第２主平面を有する第２パネルとを備える一組のパネルを含む本発明の第１態様によって達成された。前記第１パネル及び前記第２パネルは、前記第１パネルの第１縁部を前記第２パネルの第２縁部に対して接合平面において係止するための機械的係止装置を設けられる。前記第１主平面は、前記第２主平面に対して本質的に垂直であり、且つ、前記接合平面は、前記第１主平面及び前記第２主平面に対して角度を成して、前記第１主平面と前記第２主平面との間において延在している。前記第１縁部は、前記接合平面から延在する縁部タングを備える。前記第２縁部は、前記接合平面において縁部溝を備える。前記第１及び前記第２縁部を前記第１主平面に対して垂直である第１方向において一体に係止するように、前記縁部タングは前記縁部溝と協働するように構成される。前記縁部タングは、タング溝を備える。前記縁部溝は、挿入溝内に配設される可撓性タングを備える。前記第１及び前記第２縁部を前記第２主平面に対して垂直である第２方向において一体に係止するように、前記可撓性タングは前記タング溝と協働するように構成される。前記機械的係止装置は、前記第１及び前記第２縁部の係止状態において、前記縁部タングと前記縁部溝との間に、前記縁部溝の開口において、好適には前記挿入溝の反対側に、且つ前記接合平面において、第１スペースを備える。前記第１スペースは、前記縁部溝の開口における前記第２縁部の一部分の荷重を回避するという利点を有し得る。第２縁部のこの部分は、脆弱な部分であり得る。なぜならば、荷重を吸収するように利用できる材料が殆どないからである。
【０００５】
前記接合平面と前記第１主平面との間の角度は、約３０°乃至約６０°の範囲にあり得る、例えば約４５°であり得る。
【０００６】
前記縁部タングは、前記接合平面から、本質的に前記第２方向において、好適には前記第１縁部に沿った長手方向を有して延在し得る。
【０００７】
前記縁部タングの第１側は、前記接合平面において又はその付近において、第１係止表面を備え得る。前記縁部溝は、前記接合平面において又はその付近において、第２係止表面を備え得る。前記第１係止表面及び前記第２係止表面は本質的に平行であり得るとともに、前記第１方向における係止のために協働するように構成され得る。好適には、前記第１係止表面及び前記第２係止表面は、本質的に前記第２方向において延在している。
【０００８】
前記縁部タングは、前記第１側に対して反対側の第２側において、第３係止表面を備え得る、且つ、前記縁部溝は、第４係止表面を備え得る。前記第３係止表面及び前記第４係止表面は本質的に平行であり得るとともに、前記第１方向における係止のために、前記接合平面から距離を置いて協働するように構成され得る。好適には、前記第３係止表面及び前記第４係止表面は、本質的に前記第２方向において延在している。
【０００９】
前記第３係止表面及び前記第４係止表面は、前記第２方向において、第１距離に亘って延在する領域において協働し得る。前記第３係止表面及び前記第４係止表面は、前記接合平面から第２距離だけ変位し得る。前記第１距離は、前記第２距離の約２０％乃至約２００％の範囲にあり得る、好適には、前記第２距離の約５０％乃至約１５０％の範囲にあり得る。前記第１距離は、前記第２距離と本質的に同一であり得る。
【００１０】
前記接合平面から距離を置いた前記縁部タングの前記第１側は、第５係止表面を備え得る、且つ、前記縁部溝は、前記接合平面から距離を置いた第６係止表面を備え得る。前記第５係止表面及び前記第６係止表面は本質的に平行であり得るとともに、前記第１方向における係止のために協働するように構成され得る。好適には、前記第５係止表面及び前記第６係止表面は、本質的に前記第２方向において延在し得る。
【００１１】
前記機械的係止装置は、前記第１縁部における第１接触表面と、前記第２縁部における第２接触表面とを備え得る。前記第１接触表面及び前記第２接触表面は、前記第１及び前記第２パネルの係止状態において、外側角部に且つ前記接合平面に存在し得る。前記第１及び前記第２接触表面は、協働するように構成され得る。
【００１２】
前記機械的係止装置は、前記接合平面において、前記第１及び前記第２接触表面から前記縁部溝の開口に向かって延在する第２スペースを備え得る。
【００１３】
前記第１及び前記第２接触表面は、第１幅に亘って、前記第１及び前記第２パネルの内側角部から前記外側角部に向かう方向において協働するように構成され得る。前記第１幅は、前記第１及び／又は第２縁部表面の縁部幅の約５％乃至約４０％、約５％乃至約３０％、又は約５％乃至約２０％の範囲にあり得る。
【００１４】
第１縁部表面及び／又は第２縁部表面は、前記第１接触表面及び前記第２接触表面それぞれから、前記縁部タング及び前記縁部溝それぞれに向かって延在する凹部を備え得る。
【００１５】
前記機械的係止装置は、前記第１縁部における第３接触表面と、前記第２縁部における第４接触表面とを備え得る。前記第３及び前記第４接触表面は、前記第１及び前記第２パネルの係止状態において、内側角部に存在し得る。前記第３及び前記第４接触表面は、前記接合平面に存在し得るとともに、好適には協働するように構成される。
【００１６】
前記第３及び前記第４接触領域は、第２幅に亘って、前記第１及び前記第２パネルの内側角部から前記外側角部に向かう方向において協働し得る。前記第２幅は、前記第１及び／又は第２縁部表面の縁部幅の約２％乃至約２０％、約２％乃至約１０％、約２％乃至約５％の範囲にあり得る。
【００１７】
前記第１パネルは、内側半体と外側半体とを、前記第１パネルの厚さの方向において備え得る。好適には、前記縁部タング全体は、前記第１パネルの前記内側半体に存在する。
【００１８】
前記挿入溝は、前記第２主平面に対して平行であり得る、又は前記第２主平面に対して鋭角をなし得る。これにより、前記挿入溝の底部が、前記第２パネルの内側面から、前記前記挿入溝の前記端部溝に対する開口よりも大きい距離を置く。
【００１９】
前記挿入溝は、前記縁部溝の本質的に全長に沿って延在し得る。
【００２０】
前記縁部溝は、前記第２縁部の本質的に全長に沿って延在し得る。
【００２１】
前記可撓性タングは、前記挿入溝内で変位可能であり得る。
【００２２】
前記第１及び前記第２パネルのコア材料は、ＨＤＦ、ＭＤＦ、ベニヤ板、中実ウッド又はパーチクル・ボード、又は強化プラスチックボード又は木質繊維複合ボード等の木質繊維をベースとしたボードから構成され得る。コアは、装飾層を有し得る。
【００２３】
前記係止装置は、前記タング溝の開口において、傾斜又は丸みを備え得る。これにより、分解が容易化される。なぜならば、傾斜又は丸みによって、前記可撓性タングが分解中に動きが取れなくなることが防止され得るからである。
【００２４】
好適には、前記係止装置は、ツールが前記タング溝に挿入されると、前記可撓性タングが前記タング溝から脱出して前記挿入溝内にバネの力で戻るように構成される。
【００２５】
好適には、前記第１パネル及び前記第２パネルは、前記第１パネルが前記第２パネルに対して垂直な状態において、前記第１パネルを前記第２パネルに対して前記第２方向において変位させることにより組み立てられるように構成される。前記縁部タングが前記縁部溝に挿入されつつ、前記可撓性タングが前記挿入溝に押し込まれ、そして前記タング溝内にバネの力で入ることで係止状態が得られる。
【００２６】
可撓性タングは、ＷＯ２０１５／１０５４４９号の図２Ａ‐２Ｆ又は図３Ａ‐３Ｂ、及び詳細な説明の６頁１５行乃至７頁１５行に記載及び図示の可撓性タングであり得る。本文献は、参照により本明細書に明確に組み込まれるものとされる。
【００２７】
前記一組のパネルは、家具パネルであり得る。
【００２８】
本発明の第２態様は、上述の一組のパネルを備えるフレームの角部を備える組立家具製品を含む。
【００２９】
本発明の実施形態が、例示的に、添付の概略図を参照してより詳細に説明される。
【図面の簡単な説明】
【００３０】
【図１】係止状態にある第１パネルと第２パネルとを備える本発明の実施形態を示す図。
【図２】可撓性タングを除いた図１の丸で囲んだ領域の拡大図。
【図３Ａ】第１縁部と第２縁部とを備える本発明の実施形態を示す図。
【図３Ｂ】第１縁部と第２縁部とを備える本発明の実施形態を示す図。
【図４Ａ】可撓性タングの実施形態を備える本発明の部分図。
【図４Ｂ】可撓性タングの実施形態を備える本発明の部分図。
【図４Ｃ】可撓性タングの実施形態を備える本発明の部分図。
【図４Ｄ】可撓性タングの実施形態を備える本発明の部分図。
【図４Ｅ】可撓性タングの実施形態を備える本発明の部分図。
【図４Ｆ】可撓性タングの実施形態を備える本発明の部分図。
【発明を実施するための形態】
【００３１】
図１及び図２は、第１主平面を有する第１パネル２と、第２主平面を有する第２パネル４とを備える一組のパネルを含む実施形態を示す。第１及び第２パネルは、第１パネル２の第１縁部を第２パネル４の第２縁部に対して接合平面Ｊにおいて係止するための機械的係止装置を有する。第１主平面は、第２主平面に対して本質的に垂直であり、且つ、接合平面は、第１主平面と第２主平面との間において延在している。パネルは係止状態において横断図で示されている。第１及び第２縁部の長手方向が、示された図面に対して垂直に延在する。第１縁部は、接合平面Ｊから延在する縁部タング２２を備える。第２縁部は、接合平面において縁部溝２１を備える。第１及び第２縁部を第１主平面に対して垂直である第１方向Ｄにおいて一体に係止するように、縁部タングは縁部溝と協働するように構成される。縁部タング２２は、タング溝１０を備える。縁部溝２１は、挿入溝２０に配設される可撓性タング３０を備える。第１及び第２縁部を第２主平面に対して垂直である第２方向において一体に係止するように、この可撓性タングはタング溝１０と協働するように構成される。機械的係止装置は、第１及び第２縁部の係止状態において、縁部タング２２と縁部溝２１との間に、縁部溝２１の開口において且つ接合平面において第１スペース４６を備える。第１スペース４６は、縁部溝の開口における第２縁部の一部分の荷重が回避されるという利点を有し得る。第２縁部のこの部分は、脆弱な部分であり得る。なぜならば、荷重を吸収するように利用できる材料が殆どないからである。図２は、可撓性タングを除いた図１の丸で囲んだ領域の拡大図である。接合平面と第１主平面との間の角度７４は、約３０°乃至約６０°の範囲にあり得る、例えば約４５°であり得る。好適には、縁部タング２２は、接合平面から、本質的に第２方向において延在する。
【００３２】
第１パネル２は第１厚さ６５を有し、第２パネル４は第２厚さ６４を有する。第１及び第２厚さは、本質的に同一であり得る。第１パネル２は、第１パネルの中央平面６８の第１側における内側半体６６と、第１パネルの中央平面６８の第２側における外側半体６７とを、第１パネルの厚さ方向において備える。好適には、縁部タング２２全体は、第１パネルの内側半体に存在する。これにより、第１及び第２パネルの係止状態において、縁部溝２１と外側角部との間により多くの材料が得られ、機械的係止装置の強度が向上され得るという効果が提供され得る。これにより、。第１パネルは、内側面６０と外側面６１とを備える。第２パネルは、内側面６２と外側面６３とを備える。
【００３３】
図２は、縁部タング２２の第１側が、接合平面Ｊにおいて又はその付近において、第１係止表面４１を備え得る、且つ、縁部溝２１は、接合平面Ｊにおいて又はその付近において、第２係止表面４０を備え得ることを示す。第１係止表面及び第２係止表面は本質的に平行であるとともに、第１方向における係止のために協働するように構成される。好適には、第１係止表面及び第２係止表面は、本質的に第２方向において延在している。縁部タング２２は、第１側に対して反対の第２側において第３係止表面４３を備え得る、且つ縁部溝２１は、第４係止表面４２を備え得る。第３係止表面及び第４係止表面は本質的に平行であるとともに、第１方向における係止のために、接合平面から距離を置いて協働するように構成される。好適には、第３係止表面及び第４係止表面は、本質的に第２方向において延在している。第１、第２、第３及び第４係止表面の全ては、互いに平行であり得る。これらの平行な第１、第２、第３及び第４係止表面は、パネルの組立が容易である点、及び、例えばこの一組のパネルを備える家具がより高い安定性を有するという点で有利であり得る。好適には、第４係止表面４２は、第２係止表面４０より中央平面６８に近接している。
【００３４】
第３係止表面４３及び第４係止表面４２は、負荷を吸収するように、第１距離４７に亘って第２方向において延在する領域において協働し得る。好適には、第３係止表面４３及び第４係止表面４２は、接合平面から第２距離４８だけ変位している（離れている）。これにより、第１方向Ｄ１において第４係止表面４２と接合平面との間により多くの材料が得られ、機械的係止装置の強度が向上され得るという効果が提供され得る。第１距離４７は、第２距離４８の約２０％乃至約２００％の範囲にあり得る、又は第２距離４８の約５０％乃至約１５０％の範囲にあり得る。図２に示す実施形態において、第１距離４７は、第２距離４８と本質的に同一である。
【００３５】
第１縁部は、縁部溝２１の開口において傾斜又は丸みを備え得る。これにより、第３係止表面４３及び第４係止表面４２は、接合平面から第２距離４８だけ変位する。
【００３６】
図３Ａは、縁部溝２１の開口において第１傾斜／丸み５７を備える実施形態を示す。これにより、縁部タング２２を縁部溝２１内に挿入することが容易化され得る。本実施形態は、縁部溝２１の開口において第２傾斜／丸み５６を備え、これにより、更に第２距離４８が更に増大され得る。
【００３７】
接合平面から距離を置いた縁部タング２２の第１側は、第５係止表面４５を備え得る、且つ、縁部溝２１は、接合平面から距離を置いた第６係止表面４４を備え得る。第５係止表面及び第６係止表面は本質的に平行であるとともに、好適には第１方向における係止のために協働するように構成される。好適には、第５係止表面及び第６係止表面は、本質的に第２方向において延在している。図２に示す実施形態において、挿入溝２０は、第６係止表面４４と第２係止表面４０との間に配置される。タング溝１０は、第５係止表面４５と第１係止表面４１との間に配置され得る。
【００３８】
図３Ａ及び３Ｂは、第１及び第２パネルの組立前の機械的係止装置であって、第１縁部における第１接触表面５１と、第２縁部における第２接触表面５２とを備える機械的係止装置の実施例を示す。前記第１及び第２接触表面は、第１及び第２パネルの組立及び係止状態において、外側角部に且つ接合平面に存在するとともに、協働するように構成される。図２を参照すると、第２スペース４９が、接合平面において、第１及び第２接触表面５１、５２から縁部溝の開口に向かって延在し得る。第２スペース４９は、第１縁部に沿って、第２縁部に沿って、又は第１縁部及び第２縁部の両方に沿って、長手方向に延在し得る。第１及び第２接触表面５１、５２は、第１幅７１に亘って、第１及び第２パネルの内側角部から外側角部に向かう方向において協働し得る。前記第１幅は、第１及び第２縁部の第１及び／又は第２縁部表面それぞれの縁部幅５８の約５％乃至約４０％、約５％乃至約３０％、又は約５％乃至約２０％の範囲にある。これにより、第１縁部表面と第２縁部表面との密着性が、より狭い接触領域に対する増大した圧力によって、改良され得る。機械的係止装置の機械的切断から第１縁部表面又は第２縁部表面に残るばらばらの繊維等の凹凸が圧縮され、こうして第１及び第２パネル同士の堅固な接合が得られる。
【００３９】
第１縁部の第１縁部表面は、図３Ｂにおいて点線で示す、第１接触表面５１から縁部タング２２に向かって延在する凹部５５を備え得る。図３Ａを参照すると、第２縁部の第２縁部表面は、深さ７６及び幅５９を有する凹部５０であって、第２接触表面５２から縁部溝２１に向かって延在する凹部５０を備え得る。第２縁部表面の凹部５０の深さ７６は、約０，１ｍｍ乃至約１ｍｍの範囲、好適には約０，２ｍｍ乃至約０，５ｍｍの範囲にあり得る。第１縁部表面の凹部５５は、第１縁部表面の凹部５０と本質的に同一の深さ及び／又は本質的に同一の長さを有し得る。凹部の深さは、パネルのコアの材料に合わせて調節され得る。例えばパーチクル・ボードからなるコアの機械的切断によって、例えばＨＤＦからなるコアの機械的切断に比較して、繊維が飛び出したより粗い表面が生じ得る。より粗い表面には、第１縁部表面及び／又は第２縁部表面の凹部のより大きい深さ７６が必要とされ得る。
【００４０】
機械的係止装置は、第１縁部における第３接触表面５３と、第２縁部における第４接触表面５４とを備え得る。第１及び第４接触表面は、第１及び第２パネルの係止状態において、内側角部に且つ接合平面に存在するとともに、協働するように構成される。第３及び第４接触表面は、第２幅７２に亘って、第１及び第２パネルの内側角部から外側角部に向かう方向において協働する。第２幅７２は、第１及び／又は第２縁部表面の縁部幅５８の約２％乃至約２０％、約２％乃至約１０％、又は約２％乃至約５％の範囲にあり得る。
【００４１】
好適には、第１パネル２及び第２パネル４は、第１パネルが第２パネルに対して垂直な状態において、第１パネル２を第２パネル４に対して第２方向において変位させることにより組み立てられるように構成される。縁部タング２２が縁部溝２１に挿入されつつ、可撓性タング３０が挿入溝に押し込まれ、そしてタング溝１０内にバネの力で入ることで係止状態が得られる。一組のパネルは、家具パネルであり得る。
【００４２】
挿入溝２０は、縁部溝の本質的に全長に沿って延在し得る。
【００４３】
縁部溝２１は、第２縁部の本質的に全長に沿って、第２縁部の長手方向において延在し得る。
【００４４】
可撓性タング３０は、挿入溝内で変位可能であり得る。
【００４５】
好適には、係止装置は、ツールがタング溝に挿入されると、可撓性タング３０がタング溝１０から脱出して挿入溝内にバネの力で戻るように構成される。
【００４６】
挿入溝２０は、第２主平面に対して平行であり得る、又は第２主平面に対して鋭角７５において存在し得る。これにより、挿入溝２０の底部が、第２パネルの内側面６２から、挿入溝の内側面６２に対する開口よりも大きい距離を置く。
【００４７】
係止装置は、タング溝１０の開口において、傾斜又は丸みを備え得る。これにより、分解が容易化される。なぜならば、傾斜又は丸みによって、可撓性タングが分解中に動きが取れなくなることが防止され得るからである。
【００４８】
上述の一組のパネルは、例えばフレームの角部等の、組立家具製品の一部であり得る。タング溝１０は、家具の後方に開放し得る。これにより、可撓性タング３０を挿入溝２０に押し戻して係止装置を解除するように、ツールがタング溝に挿入され得る。
【００４９】
前記第１及び前記第２パネルのコア材料は、ＨＤＦ、ＭＤＦ、ベニヤ板、中実ウッド又はパーチクル・ボード、又は強化プラスチックボード又は木質繊維複合ボード等の木質繊維をベースとしたボードから構成され得る。コアは、単数又は複数の装飾層を有し得る。好適には、係止装置の部品は、第１及び第２パネルの材料のフライス加工等の機械的切断によって形成され得る。
【００５０】
挿入溝２０内で変位可能な可撓性タング３０の実施例を、図４Ａ‐４Ｄに示す。図４Ａ‐４Ｂは、係止状態の可撓性タング３０を示す。図４Ｃ‐４Ｄは、第１パネル２と第２パネル４との組立中の可撓性タング３０を示す。図４Ｂは、図４Ａにおける可撓性タング３０の断面図である。図４Ｄは、図４Ｃにおける可撓性タング３０の断面図である。可撓性タング３０は、屈曲可能な突出部２４を備える。スペース２３が、可撓性タング３０と挿入溝２０の底壁との間に設けられる。図４Ｃは、第１パネル２と第２パネル４との組立中に、可撓性タング３０が挿入溝２０に押し込まれて挿入溝２０の底部に向かっている状態を示す。第１パネル２及び第２パネル４が係止状態に達すると、可撓性タング３０は初期位置にバネの力で戻る。好適には、凹部２５が各屈曲可能な突出部に配設される。
【００５１】
加藤性タング３０は、挿入溝２０の第３変位表面２８及び第４変位係止表面２９に沿って変位するようにそれぞれ構成される第１変位面２６と、反対側の第２変位表面２７とを有し得る。
【００５２】
屈曲可能な突出部２４を有さない可撓性タング３０の代替実施形態を図４Ｅ‐４Ｆに示す。図４Ｆは、図４Ｅにおける可撓性タング３０の断面図である。図４Ａ‐４Ｄに示す実施形態と同様の機能を発揮するように、代替実施形態は、その長手方向において屈曲可能である。
【図１】
2019508637.tif 000003
【図２】
2019508637.tif 000004
【図３Ａ】
2019508637.tif 000005
【図３Ｂ】
2019508637.tif 000006
【図４Ａ】
2019508637.tif 000007
【図４Ｂ】
2019508637.tif 000008
【図４Ｃ】
2019508637.tif 000009
【図４Ｄ】
2019508637.tif 000010
【図４Ｅ】
2019508637.tif 000011
【図４Ｆ】
2019508637.tif 000012
【国際調査報告】
2019508637.tif 000013
2019508637.tif 000014
2019508637.tif 000015
2019508637.tif 000016